(57)【要約】      （修正有）【課題】被看護人からのナースコール呼出しのみならず施設内への来訪者からのドアホン呼出しの報知と来訪者の映像を出画することができるナースコール親機が有する呼出表示機能及び映像出画機能を、その機能毎に別体で設けられる表示部を用いて能動とする。【解決手段】ナースコール親機３は、複数のナースコール子機を用いた被看護人からのナースコール呼出し又はドアホン４を用いた来訪者からのドアホン呼出しがあることを表示するための呼出表示機能、ドアホンのドアホン撮像部４１で撮像された映像を出画するための映像出画機能を有する親機表示部３０を備え、この親機表示部は、被看護人のリスト及びフロア病床レイアウトのうち少なくとも１つを表示する主表示部３０ａと、主表示部と別体でドアホン呼出しを表示するとともにドアホンのドアホン撮像部で撮像された映像を出画する副表示部３０ｂとを有している。【選択図】図２
2014086987.tif 000002
【特許請求の範囲】
【請求項１】
医療・看護施設内の複数の部屋の病床毎に設置され被看護人が医療・看護従事者を呼出して通話を成立させるナースコール子機と、スタッフステーション等の施設内共用部に設置され前記ナースコール子機を用いた前記被看護人からのナースコール呼出しに前記医療・看護従事者が応答して通話を成立させるナースコール親機と、前記ナースコール子機及び前記ナースコール親機を制御する制御機とを有するナースコールシステムであって、
前記制御機には、病棟出入り口やフロア出入り口等の施設内入退場口に設置され前記施設内への来訪者が前記医療・看護従事者を呼出して通話を成立させるドアホンが接続され、
前記ドアホンは、前記来訪者が前記医療・看護従事者を呼出すための操作を行うドアホン操作部と、前記来訪者の映像を撮像するドアホン撮像部と、前記来訪者が前記医療・看護従事者との間で通話を成立させるための音声を送受信するドアホン通話部とを備え、
前記ナースコール親機は、前記ナースコール呼出し又は前記ドアホンを用いた前記来訪者からのドアホン呼出しがあることを表示するための呼出表示機能、前記ドアホンの前記ドアホン撮像部で撮像された映像を出画するための映像出画機能を有する親機表示部と、前記ナースコール呼出し又は前記ドアホン呼出しに前記医療・看護従事者が応答するための操作を行う親機操作部と、前記医療・看護従事者が前記被看護人又は前記来訪者との間で通話を成立させるための音声を送受信する親機通話部とを備え、
前記ナースコール親機の前記親機表示部は、前記被看護人のリスト及びフロア病床レイアウトのうち少なくとも１つを表示する主表示部と、前記主表示部と別体で前記ドアホン呼出しを表示するとともに前記ドアホンの前記ドアホン撮像部で撮像された映像を出画する副表示部とを有することを特徴とする請求項１記載のナースコールシステム。
【請求項２】
前記副表示部は、前記主表示部よりも小さいことを特徴とする請求項１記載のナースコールシステム。
【請求項３】
前記主表示部は縦長であり、前記副表示部は横長であることを特徴とする請求項１又は請求項２記載のナースコールシステム。
【請求項４】
前記制御機には、前記施設内を移動中の前記医療・看護従事者により携帯される携帯情報端末が接続され、
前記携帯情報端末は、前記ナースコール呼出し又は前記ドアホン呼出しがあることを表示するための呼出表示機能を有する端末表示部と、前記ナースコール呼出し又は前記ドアホン呼出しに前記医療・看護従事者が応答するための操作を行う端末操作部と、前記医療・看護従事者が前記被看護人又は前記来訪者との間で通話を成立させるための音声を送受信する端末通話部とを備え、
前記制御機は、前記ドアホン呼出しを検出したとき、前記ナースコール親機の前記親機表示部が有する前記映像出画機能を能動として前記ドアホンの前記ドアホン撮像部で撮像された映像を出画させるとともに前記携帯情報端末の前記端末表示部が有する前記呼出表示機能を能動とする制御機ＣＰＵを備え、
前記制御機の前記制御機ＣＰＵは、前記携帯情報端末を用いた前記医療・看護従事者による応答を検出したとき、前記ナースコール親機の前記親機表示部が有する前記映像出画機能を能動から非能動に切換えることを特徴とする請求項１乃至請求項３のうち何れか１記載のナースコールシステム。
【請求項５】
前記施設内入退場口には、入退出用ドアを施解錠する電気錠が設置され、
前記ナースコール親機及び前記携帯情報端末のうち少なくとも１つは、前記電気錠を解錠する解錠部が備えられることを特徴とする請求項１乃至請求項４のうち何れか１項記載のナースコールシステム。
【請求項６】
前記制御機は、前記ナースコール親機及び前記携帯情報端末のうち前記ドアホン呼出しを報知する機器の設定情報が記憶される記憶部と、前記記憶部から読出される前記設定情報の該当機器に前記ドアホン呼出しを報知する制御機ＣＰＵとを備えることを特徴とする請求項１乃至請求項５のうち何れか１項記載のナースコールシステム。
【請求項７】
前記記憶部は、前記制御機に代えてサーバに備えられることを特徴とする請求項６記載のナースコールシステム。
【発明の詳細な説明】
【技術分野】
【０００１】
本発明は、病院等の医療・看護施設内に設置されるナースコールシステムに係り、特に、被看護人からのナースコール呼出しのみならず当該施設内への来訪者からのドアホン呼出しを報知し、これらの呼出しに応答した医療・看護従事者が通話を成立させることができるナースコールシステムに関する。
【背景技術】
【０００２】
従来から、この種のナースコールシステムとして、病院や病棟の出入り口に設置されたインターホン子機からの呼び出しに応答する機能を備えたナースコールシステムが開示されている（例えば、特許文献１を参照）。
【０００３】
このナースコールシステムによれば、デジタル信号で映像信号を出力する院内カメラと、ＮＴＳＣ信号で出力するインターホン子機の子機カメラの撮像映像の双方を、簡易な構成であるナースコール親機のＮＴＳＣモニタに表示させることができる。したがって、院内カメラの配線をＬＡＮ配線の如く容易に実施できるばかりでなく、比較的小規模の病院で使用されるナースコール親機であってもモニタに双方の映像を表示させることができる。
【０００４】
なお、ＮＴＳＣ信号で出力する子機カメラを備えたインターホン子機と同様な機能を有する機器としては、非特許文献１に記載のカメラ付玄関子機が開示されている。
【先行技術文献】
【特許文献】
【０００５】
【特許文献１】特開２０１０−７５３７６号公報
【非特許文献】
【０００６】
【非特許文献１】アイホン  ２０１２−２０１４年版総合カタログ  ３５０頁
【発明の概要】
【発明が解決しようとする課題】
【０００７】
しかしながら、背景技術に記載した特許文献１のナースコールシステムによれば、院内カメラからデジタル信号で出力される映像信号と、インターホン子機（非特許文献２のカメラ付玄関子機）の子機カメラの撮像映像であるＮＴＳＣ信号の双方をナースコール親機のＮＴＳＣモニタに表示させるにあたっては、このモニタが単一画面の表示エリアを有しているため、双方の信号の表示エリアを十分に確保できない難点があった。この難点を解消するにあたっては、その一例として、双方の信号をマルチ画面やポップアップ画面で表示させる必要があり、それを確認する医療・看護従事者にとっては視認性が低下するおそれがあった。
【０００８】
本発明は、この難点を解消するためになされたもので、被看護人からのナースコール呼出しのみならず施設内への来訪者からのドアホン呼出しの報知と来訪者の映像を出画することができるナースコール親機が有する呼出表示機能及び映像出画機能を、その機能毎に別体で設けられる表示部を用いて能動とすることにより、呼出表示及び出画映像を確認する医療・看護従事者にとって十分な視認性を確保することができるナースコールシステムを提供することを目的としている。
【課題を解決するための手段】
【０００９】
前述の目的を達成するため、本発明の第１の態様であるナースコールシステムは、医療・看護施設内の複数の部屋の病床毎に設置され被看護人が医療・看護従事者を呼出して通話を成立させるナースコール子機と、スタッフステーション等の施設内共用部に設置されナースコール子機を用いた被看護人からのナースコール呼出しに医療・看護従事者が応答して通話を成立させるナースコール親機と、ナースコール子機及びナースコール親機を制御する制御機とを有する当該システムである。制御機には、病棟出入り口やフロア出入り口等の施設内入退場口に設置され施設内への来訪者が医療・看護従事者を呼出して通話を成立させるドアホンが接続される。ドアホンは、来訪者が医療・看護従事者を呼出すための操作を行うドアホン操作部と、来訪者の映像を撮像するドアホン撮像部と、来訪者が医療・看護従事者との間で通話を成立させるための音声を送受信するドアホン通話部とを備えている。ナースコール親機は、ナースコール呼出し又はドアホンを用いた来訪者からのドアホン呼出しがあることを表示するための呼出表示機能、ドアホンのドアホン撮像部で撮像された映像を出画するための映像出画機能を有する親機表示部と、ナースコール呼出し又はドアホン呼出しに医療・看護従事者が応答するための操作を行う親機操作部と、医療・看護従事者が被看護人又は来訪者との間で通話を成立させるための音声を送受信する親機通話部とを備えている。ナースコール親機の親機表示部は、被看護人のリスト及びフロア病床レイアウトのうち少なくとも１つを表示する主表示部と、主表示部と別体でドアホン呼出しを表示するとともにドアホンのドアホン撮像部で撮像された映像を出画する副表示部とを有している。
【００１０】
この態様のナースコールシステムによれば、ナースコール子機を用いた被看護人からのナースコール呼出しのみならずドアホンを用いた来訪者からのドアホン呼出しの報知とドアホンのドアホン撮像部で撮像された来訪者の映像を出画することができるナースコール親機の親機表示部が有する呼出表示機能及び映像出画機能を、主表示部及び副表示部のように、その機能毎に別体で設けられる当該表示部を用いて能動とすることができる。したがって、スタッフステーション等の施設内共用部に在室中の医療・看護従事者にとっては、ナースコール呼出し又はドアホン呼出しがあることを示す呼出表示と来訪者の出画映像を確認するにあたって、十分な視認性が確保される。
【００１１】
また、本発明の第２の態様であるナースコールシステムは、本発明の第１の態様において、副表示部は、主表示部よりも小さいものである。
【００１２】
この態様のナースコールシステムによれば、ドアホンを用いた来訪者からのドアホン呼出しを、その来訪者の映像とともにナースコール親機の親機表示部を構成する副表示部を用いて呼出表示・映像出画でき、この副表示部は、被看護人のリスト及びフロア病床レイアウトのうち少なくとも１つを表示する主表示部と比較して小さいため、スタッフステーション等の施設内共用部に在室中の医療・看護従事者にとっては、例えば、ナースコール呼出しを行った被看護人への看護業務に支障がない状態でドアホン呼出しを行った来訪者に迅速に対応することができる。
【００１３】
また、本発明の第３の態様であるナースコールシステムは、本発明の第１の態様又は第２の態様において、主表示部は縦長であり、副表示部は横長である。
【００１４】
この態様のナースコールシステムによれば、ナースコール親機の親機表示部を構成する主表示部が縦長であるため、被看護人のリスト及びフロア病床レイアウトのうち少なくとも１つを表示するにあたって、より多くの情報を一画面上に表示させることができる一方、副表示部は横長であるため、従来のテレビドアホン・テレビインターホン等と同様、特に、来訪者の映像を確認し易く、何れの表示部についても十分な視認性が確保される。
【００１５】
また、本発明の第４の態様であるナースコールシステムは、本発明の第１の態様乃至第３の態様のうち何れか１の態様において、制御機には、施設内を移動中の医療・看護従事者により携帯される携帯情報端末が接続される。携帯情報端末は、ナースコール呼出し又はドアホン呼出しがあることを表示するための呼出表示機能を有する端末表示部と、ナースコール呼出し又はドアホン呼出しに医療・看護従事者が応答するための操作を行う端末操作部と、医療・看護従事者が被看護人又は来訪者との間で通話を成立させるための音声を送受信する端末通話部とを備えている。制御機は、ドアホン呼出しを検出したとき、ナースコール親機の親機表示部が有する映像出画機能を能動としてドアホンのドアホン撮像部で撮像された映像を出画させるとともに携帯情報端末の端末表示部が有する呼出表示機能を能動とする制御機ＣＰＵを備えている。制御機の制御機ＣＰＵは、携帯情報端末を用いた医療・看護従事者による応答を検出したとき、ナースコール親機の親機表示部が有する映像出画機能を能動から非能動に切換えるものである。
【００１６】
この態様のナースコールシステムによれば、ナースコール子機を用いた被看護人からのナースコール呼出しのみならずドアホンを用いた来訪者からのドアホン呼出しを、施設内を移動中の医療・看護従事者により携帯される携帯情報端末にて報知し、これらの呼出しに応答することで通話を成立させることができるばかりでなく、この携帯情報端末にてドアホン呼出しに応答したときには、同様なドアホン呼出しが報知されるナースコール親機での映像出画動作を自動的に非表示状態へ復旧できる。したがって、医療・看護従事者によれば、この状態でナースコール呼出しがあった場合でも、ドアホン呼出しよりも重要度が高い当該ナースコール呼出しに係る呼出報知を、煩わしさを感じずに確認することができ、利便性が高められる。
【００１７】
また、本発明の第５の態様であるナースコールシステムは、本発明の第１の態様乃至第４の態様のうち何れか１の態様において、施設内入退場口には、入退出用ドアを施解錠する電気錠が設置される。ナースコール親機及び携帯情報端末のうち少なくとも１つは、電気錠を解錠する解錠部が備えられている。
【００１８】
この態様のナースコールシステムによれば、ナースコール親機及び携帯情報端末のうち少なくとも１つの機器による解錠操作で電気錠を解錠させることができる。したがって、解錠操作を行った医療・看護従事者にとっては、施設内入退場口に設置された入退出用ドアを経由して施設内に来訪者を招き入れることができる。
【００１９】
また、本発明の第６の態様であるナースコールシステムは、本発明の第１の態様乃至第５の態様のうち何れか１の態様において、制御機は、ナースコール親機及び携帯情報端末のうちドアホン呼出しを報知する機器の設定情報が記憶される記憶部と、記憶部から読出される設定情報の該当機器にドアホン呼出しを報知する制御機ＣＰＵとを備えている。
【００２０】
この態様のナースコールシステムによれば、制御機の記憶部に記憶された設定情報をもとに、ドアホンを用いた来訪者からのドアホン呼出しを報知する機器を限定することができる。したがって、例えば、担当の被看護人への看護業務に集中している医療・看護従事者にとっては、自身が携帯している携帯情報端末への呼出報知が回避されるため、煩わしを感じず、その看護業務に支障を与えることなく迅速な対応を継続することができる。
【００２１】
また、本発明の第７の態様であるナースコールシステムは、本発明の第６の態様において、記憶部は、制御機に代えてサーバに備えられるものである。
【００２２】
この態様のナースコールシステムによれば、ドアホンを用いた来訪者からのドアホン呼出しが報知される機器の設定情報を、例えば、被看護人の疾患に係る担当科データ、検査や手術に係るオーダデータ、電子カルテデータ等の被看護人関連情報が記憶されるオーダリングサーバ等のサーバに備えることができる。したがって、設定情報を例えば、被看護人関連情報とともに一元的に管理することができる。
【発明の効果】
【００２３】
本発明のナースコールシステムによれば、病院等の医療・看護施設内の被看護人からのナースコール呼出しのみならず施設内への来訪者からのドアホン呼出しを報知することができるナースコール親機において、ナースコール呼出し又はドアホン呼出しがあることを表示するための呼出表示機能、ドアホン呼出時の映像を出画するための映像出画機能を、その機能毎に別体で設けられる表示部を用いて能動とすることにより、呼出表示及び出画映像を確認する医療・看護従事者にとって十分な視認性を確保することできる。
【図面の簡単な説明】
【００２４】
【図１】図１は、本発明の実施例によるナースコールシステムの全体構成を示すシステム説明図である。
【図２】図２（Ａ）は、本発明の実施例によるナースコールシステムにおいてドアホンの具体的な構成を示すブロック図である。また、図２（Ｂ）は、同システムにおいて携帯情報端末の具体的な構成を示すブロック図である。また、図２（Ｃ）は、同システムにおいてナースコール親機の具体的な構成を示すブロック図である。さらに、図２（Ｄ）は、同システムにおいて制御機の具体的な構成を示すブロック図である。
【図３】図３（Ａ）は、本発明の実施例によるナースコールシステムにおいてナースコール親機の親機表示部を構成する主表示部のリスト表示例を示す画面構成図である。また、図３（Ｂ）は、同システムにおいてナースコール親機の親機表示部を構成する主表示部のフロア病床レイアウト表示例を示す画面構成図である。さらに、図３（Ｃ）は、同システムにおいてナースコール親機の親機表示部を構成する副表示部の呼出表示／出画映像例を示す画面構成図である。
【発明を実施するための形態】
【００２５】
以下、本発明のナースコールシステムを適用した実施の形態例について、図面を参照して説明する。
【００２６】
図１は、本発明の実施例によるナースコールシステムの全体構成を示すシステム説明図である。このナースコールシステムは、病院等の医療・看護施設内（以下、施設内という）に設置されるものであり、ナースコール子機１、１、・・・、１、１、・・・、・・・、廊下灯２、２、・・・、ナースコール親機３、ドアホン４、電気錠５、携帯情報端末６、６、・・・、基地局（無線基地局）７、交換機（ＰＢＸ交換機）８及び制御機９を有している。
【００２７】
ここで、ナースコール子機１、１、・・・、１、１、・・・、・・・にはそれぞれ、子機ラインＬ1、Ｌ1、・・・を経由して廊下灯２、２、・・・が接続、例えば、個別配線で接続されている。また、交換機８には、基地局ラインＬ7を経由して基地局７が接続されている。さらに、制御機９には、廊下灯ラインＬ2を経由して廊下灯２、２、・・・が接続、例えば、渡り配線で接続されているとともに、親機ラインＬ3を経由してナースコール親機３と、ドアホンラインＬ4を経由してドアホン４と、電気錠ラインＬ5を経由して電気錠５と、交換機ラインＬ6を経由して交換機８とがそれぞれ接続されている。
【００２８】
なお、ナースコール子機１、１、・・・、１、１、・・・、・・・及び廊下灯２、２、・・・間の接続は、図示のような個別配線の接続に限定されるものではなく、例えば、廊下灯２、２、・・・に対して複数台のナースコール子機１、１、・・・、１、１、・・・、・・・を順次接続する渡り配線の態様も好適とされる。また、廊下灯２、２、・・・及び制御機９間の接続についても、図示のような渡り配線の接続に限定されるものではなく、例えば、バス接続の態様も好適とされる。
【００２９】
ナースコール子機１、１、・・・、１、１、・・・、・・・は、それぞれ同様な構成で個別の子機ＩＤを有しており、施設内における例えば、２０１号室、２０２号室、・・・・のような複数の部屋（病室と同意）の各病床の被看護人（患者と同意）が、例えば、ナースコール親機３が設置されるスタッフステーション等の施設内共用部に在室中である、医師や看護師又は看護助手等の医療・看護従事者、携帯情報端末６、６、・・・を携帯して施設内を移動中である同様な医療・看護従事者に対し、通常呼出し、トイレ・風呂介助等を求める緊急呼出し、点滴の終了を知らせる確認呼出し等、ナースコール呼出しに係る呼出種別毎で異なる呼出操作を行うとともに、この被看護人が医療・看護従事者との間で音声を送受信して通話を成立させるものである。
【００３０】
ここで、ナースコール子機１、１、・・・、１、１、・・・、・・・は、部屋内の病床数に対応させて任意の台数を設けることができる。また、ナースコール子機１、１、・・・、１、１、・・・、・・・としては、前述のような呼出操作が行われる呼出操作機能を有する呼出握りボタン等のハンド子機１ａと、ハンド子機１ａに接続され前述のような通話を成立させる通話機能を有するプレート子機１ｂとで構成されるものである。
【００３１】
なお、ハンド子機１ａには、呼出操作機能のみならず前述のような通話機能を備えることもできる。また、プレート子機１ｂには、通話機能のみならず前述のような呼出操作機能や、被看護人からのナースコール呼出しを待受状態に復旧させる呼出復旧操作機能を備えることもできる。
【００３２】
廊下灯２、２、・・・は、それぞれ同様な構成で個別の廊下灯ＩＤを有しており、前述のような各部屋の出入口近傍に設置され、ナースコール子機１、１、・・・、１、１、・・・、・・・を用いた被看護人からのナースコール呼出しを、通常呼出し、トイレ・風呂介助等を求める緊急呼出し、点滴の終了を知らせる確認呼出し等、呼出種別毎に異なるパターンで報知（呼出表示、呼出発報）するものである。
【００３３】
ナースコール親機３は、前述のようなスタッフステーション等の施設内共用部に設置され、ナースコール子機１、１、・・・、１、１、・・・、・・・を用いた被看護人からのナースコール呼出しを、通常呼出し、トイレ・風呂介助等を求める緊急呼出し、点滴の終了を知らせる確認呼出し等、呼出種別毎に異なるパターンで報知（呼出表示、呼出発報）するとともに、これを確認した医療・看護従事者が被看護人との間で音声を送受信して通話を成立させるものである。また、ナースコール親機３は、ドアホン４が設置される病棟出入り口やフロア出入り口等の施設内入退場口に居る例えば、被看護人への見舞客等の来訪者からのドアホン呼出しを報知（呼出表示、呼出発報）するとともに、これを確認した医療・看護従事者が来訪者との間で音声を送受信して通話を成立させることができる。
【００３４】
なお、ナースコール親機３の構成態様としては、図示のような電子情報出力型の当該親機に限定されず、例えば、ＰＣ（パーソナル・コンピュータ）型やボード型の当該親機も好適とされる。また、ナースコール親機３には、通常、ナースコール子機１、１、・・・、１、１、・・・、・・・を個別呼出し又は一斉呼出しする機能や、携帯情報端末６、６、・・・を個別呼出し又は一斉呼出しする機能も備えられている。
【００３５】
ドアホン４は、前述のような施設内入退場口に居る来訪者が医療・看護従事者を呼出し、この医療・看護従事者との間で音声を送受信して通話を成立させるものである。また、電気錠５は、前述のような施設内入退場口に設置される入退出用ドアを施解錠するものである。
【００３６】
携帯情報端末６、６、・・・は、それぞれ同様な構成で個別の端末ＩＤを有しており、施設内を移動中の医療・看護従事者により携帯されるものであって、前述のような被看護人からのナースコール呼出しを、通常呼出し、トイレ・風呂介助等を求める緊急呼出し、点滴の終了を知らせる確認呼び出し等、呼出種別毎に異なるパターンで報知（呼出表示、呼出発報）するとともに、これを確認した医療・看護従事者が被看護人との間で音声を送受信して通話を成立させるものである。また、携帯情報端末６、６、・・・は、前述のような来訪者からのドアホン呼出しを報知（呼出表示、呼出発報）するとともに、これを確認した医療・看護従事者が来訪者との間で音声を送受信して通話を成立させることができる。
【００３７】
なお、携帯情報端末６、６、・・・としては、例えば、図示のようなスマートフォン等の高機能情報通信端末や不図示のＰＨＳ端末が好適とされる。また、携帯情報端末６、６、・・・には、通常、ナースコール親機３や他の携帯情報端末６、・・・との間で呼出し、通話を成立させる機能も備えられている。
【００３８】
基地局７は、携帯情報端末６、６、・・・をそれぞれ無線制御するものであり、当該携帯情報端末の台数に対応させて複数台設けることができる。また、交換機８は、基地局ラインＬ7を経由して接続された基地局７を回線制御するものである。
【００３９】
制御機９は、廊下灯ラインＬ2を経由して廊下灯２、２、・・・、親機ラインＬ3を経由してナースコール親機３、ドアホンラインＬ4を経由してドアホン４、電気錠ラインＬ5を経由して電気錠５、交換機ラインＬ6を経由して交換機８をそれぞれ接続する中継器として例えば、施設内共用部に設置されており、これら接続された機器を制御するものである。なお、交換機８が有する回線制御機機能は制御機９に備えることができ、この態様によれば交換機８は不要とされ、基地局７及び制御機９間が直接接続されることになる。
【００４０】
次に、ドアホン４の具体的な構成について図２（Ａ）のブロック図を参照して説明する。同図に示すドアホン４には、ドアホン操作部４０、ドアホン撮像部４１、ドアホン通話部４１、ドアホンＣＰＵ４３及びドアホンＩ／Ｆ４４が備えられている。
【００４１】
このドアホン４において、ドアホン操作部４０は、来訪者が医療・看護従事者を呼出すための操作（呼出操作）を行うものであり、例えば、呼出ボタンで構成されている。
【００４２】
ドアホン撮像部４１は、（ドアホン操作部４０で呼出操作を行った）来訪者の映像を撮像するものであり、例えば、ＣＣＤカメラ、ＣＭＯＳカメラ等の各種の映像撮像媒体で構成されている。なお、ドアホン撮像部４１は、施設内入退場口の周囲近傍の監視映像を撮像することもできる。
【００４３】
ドアホン通話部４２は、来訪者が医療・看護従事者との間で通話を成立させるための音声を送受信するものであり、例えば、マイク及びスピーカで構成されている。
【００４４】
ドアホンＣＰＵ４３は、当該ドアホンの構成各部を制御するものである。また、ドアホンＩ／Ｆ４４は、ドアホン撮像部４１からドアホンラインＬ4への信号伝送路、ドアホン通話部４２及びドアホンラインＬ4間の信号伝送路、ドアホンＣＰＵ４３及びドアホンラインＬ4間の信号伝送路をそれぞれ形成するものである。
【００４５】
次に、携帯情報端末６、６、・・・の具体的な構成について図２（Ｂ）のブロック図を参照して説明する。同図に示す携帯情報端末６、６、・・・には、端末表示部６０、端末操作部６１、端末解錠部６２、端末通話部６３、端末ＣＰＵ６４及び端末Ｉ／Ｆ６５が備えられている。
【００４６】
この携帯情報端末６、６、・・・において、端末表示部６０は、ナースコール子機１、１、・・・、１、１、・・・、・・・を用いた被看護人からのナースコール呼び出し又はドアホン４を用いた来訪者からのドアホン呼出しがあることを表示（呼出表示）するものであり、例えば、ＬＣＤ、有機ＥＬディスプレイ等の各種の表示媒体で構成されている。なお、端末表示部６０は、ドアホン４のドアホン撮像部４１で撮像された映像を出画することもできる。
【００４７】
端末操作部６１は、前述のような被看護人からのナースコール呼出し又は来訪者からのドアホン呼出しに医療・看護従事者が応答するための操作（応答操作）を行うものであり、例えば、端末表示部６０の前面に設置されたタッチパネル（や所定の操作ボタン）で構成されている。
【００４８】
端末解錠部６２は、医療・看護従事者が電気錠５を解錠するための操作（解錠操作）を行うものであり、例えば、端末表示部６０の前面に設置されたタッチパネル（や所定の操作ボタン）で構成されている。なお、端末解錠部６２が有する解錠操作機能は、端末操作部６１の操作機能として備えることもできる。
【００４９】
端末通話部６３は、医療・看護従事者が被看護人又は来訪者との間で通話を成立させるための音声を送受信するものであり、例えば、マイク及びスピーカで構成されている。また、端末通話部６３を構成するスピーカは、前述のようなナースコール呼出し又はドアホン呼出しがあることを報知（呼出発報）するための呼出音や音声メッセージ等を出力することができる。
【００５０】
端末ＣＰＵ６４は、当該携帯情報端末の構成各部を制御するものである。また、端末Ｉ／Ｆ６５は、端末通話部６３及び基地局７間の（無線による）信号伝送路、端末ＣＰＵ６４及び基地局７間の（無線による）信号伝送路をそれぞれ形成するものである。
【００５１】
次に、ナースコール親機３の具体的な構成について図２（Ｃ）のブロック図を参照して説明する。同図に示すナースコール親機３には、親機表示部３０、親機操作部３１、親機解錠部３２、親機通話部３３、親機ＣＰＵ３４及び親機Ｉ／Ｆ３５が備えられている。
【００５２】
このナースコール親機３において、親機表示部３０は、ナースコール子機１、１、・・・、１、１、・・・、・・・を用いた被看護人からのナースコール呼出し又はドアホン４を用いた来訪者からのドアホン呼出しがあることを表示（呼出表示）するとともに、ドアホン４のドアホン撮像部４１で撮像された映像を出画するものであって、例えば、ＬＣＤ、有機ＥＬディスプレイ等の各種の表示媒体で構成されている。
【００５３】
ここで、親機表示部３０は、縦長で例えば、１５インチ以上の主表示部３０ａと、横長で主表示部３０ａよりも小さい例えば、１０インチ以下の副表示部３０ｂとを有している。また、主表示部３０ａは、被看護人のリストやフロア病床レイアウトをもとに前述のようなナースコール呼出しがあることを表示（呼出表示）するものであって、副表示部３０ｂは、前述のようなドアホン呼出しがあることを表示（呼出表示）するとともにドアホン４のドアホン撮像部４１で撮像された映像を出画するものである。
【００５４】
親機操作部３１は、前述のような被看護人からのナースコール呼出し又は来訪者からのドアホン呼出しに医療・看護従事者が応答するための操作（応答操作）を行うものであり、例えば、親機表示部３０を構成する主表示部３０ａ及び副表示部３０ｂの前面にそれぞれ設置されたタッチパネルで構成される、主操作部３１ａ及び副操作部３１ｂを有している。
【００５５】
親機解錠部３２は、医療・看護従事者が電気錠５を解錠するための操作（解錠操作）を行うものであり、例えば、親機操作部３１の副操作部３１ｂが有する操作機能（や所定の操作ボタン）で構成されている。
【００５６】
親機通話部３３は、医療・看護従事者が被看護人又は来訪者との間で通話を成立させるための音声を送受信するものであり、例えば、マイク及びスピーカで構成されている。また、親機通話部３３を構成するスピーカは、前述のようなナースコール呼出し又はドアホン呼出しがあることを報知（呼出発報）するための呼出音や音声メッセージ等を出力することができる。なお、親機通話部３３としては、図示のようなハンドセットを適用することもできる。
【００５７】
親機ＣＰＵ３４は、当該ナースコール親機の構成各部を制御するものである。また、親機Ｉ／Ｆ３５は、親機通話部３３及び親機ラインＬ3間の信号伝送路、親機ＣＰＵ３４及び親機ラインＬ3間の信号伝送路をそれぞれ形成するものである。
【００５８】
次に、制御機９の具体的な構成について図２（Ｄ）のブロック図を参照して説明する。同図に示す制御機９には、制御機記憶部９０、制御機ＣＰＵ９１、廊下灯側制御機Ｉ／Ｆ９２、親機側制御機Ｉ／Ｆ９３、ドアホン側制御機Ｉ／Ｆ９４、電気錠側制御機Ｉ／Ｆ９５及び交換機側制御機Ｉ／Ｆ９６が備えられている。
【００５９】
この制御機９において、制御機記憶部９０は、ナースコール親機３及び携帯情報端末６、６、・・・のうちドアホン４を用いた来訪者からのドアホン呼出しを報知する機器の設定情報が記憶されるものであり、例えば、ＲＡＭ、ＥＥＰＲＯＭ等の各種の記憶媒体で構成されている。なお、制御機記憶部９０の記憶内容である前述の設定情報は、例えば、ナースコール親機３や別途のＰＣ（パーソナル・コンピュータ）等を用いることで適宜に書換えることができる。
【００６０】
制御機ＣＰＵ９１は、当該制御機の構成各部を制御するばかりでなく当該システム全体を制御するものである。また、廊下灯側制御機Ｉ／Ｆ９２は、制御機ＣＰＵ９１及び廊下灯ラインＬ2間の信号伝送路を形成するものである。また、親機側制御機Ｉ／Ｆ９３は、制御機ＣＰＵ９１及び親機ラインＬ3間の信号伝送路を形成するものである。また、ドアホン側制御機Ｉ／Ｆ９４は、制御機ＣＰＵ９１及びドアホンラインＬ4間の信号伝送路を形成するものである。また、電気錠側制御機Ｉ／Ｆ９５は、制御機ＣＰＵ９１及び電気錠ラインＬ5間の信号伝送路を形成するものである。さらに、交換機側制御機Ｉ／Ｆ９６は、制御機ＣＰＵ９１及び交換機ラインＬ6間の信号伝送路を形成するものである。
【００６１】
このように構成された本発明の実施例によるナースコールシステムにおいて、以下、具体的な動作について図１及び図２のみならず、図３の画面構成図を参照して説明する。
【００６２】
第１の動作として、図１に示す２０１号室、２０２号室、・・・のような複数の部屋毎の各病床に居る被看護人のうち、２０１号室内における特定の病床の被看護人、ここでは氏名（氏名データ）が「鈴木太郎」であって被看護人識別ＩＤ「０００１」を有する被看護人が、スタッフステーション等の施設内共用部に在室中の医療・看護従事者や携帯情報端末６、６、・・・を携帯して施設内を移動中の医療・看護従事者のうち例えば、担当の医療・看護従事者を呼出すために、ナースコール子機１を構成するハンド子機１ａを用いて呼出種別毎で異なる呼出操作、例えば、ナースコール呼出しのための操作を行うと、この操作を検出したプレート子機１ｂは、自子機が有する子機ＩＤ及びナースコール呼出しを示す呼出種別情報を付加したナースコール呼出信号を生成する。このナースコール呼出信号は、子機ラインＬ1を経由して自部屋である２０１号室の出入り口近傍に設置された廊下灯２に伝送される。
【００６３】
（２０１号室の出入り口近傍に設置された）廊下灯２は、ナースコール子機１を構成するプレート子機１ｂから伝送されてきたナースコール呼出信号に付加されている子機ＩＤ及び呼出種別情報をもとに、ナースコール子機１が病床に設置されている被看護人からのナースコール呼出しがあることを検出し、その旨の報知（呼出表示、呼出発報）を行うとともに、受信したナースコール呼出信号に自廊下灯が有する廊下灯ＩＤを付加し、このナースコール呼出信号を、廊下灯ラインＬ2、図２（Ｄ）に示す制御機９の廊下灯側制御機Ｉ／Ｆ９２を経由して制御機ＣＰＵ９１に送出する。
【００６４】
制御機９の制御機ＣＰＵ９１は、ナースコール子機１を構成するプレート子機１ｂから廊下灯２を経由して伝送されてきたナースコール呼出信号を受信すると、このナースコール呼出信号に付加されている子機ＩＤ、廊下灯ＩＤ及び呼出種別情報をもとに、２０１号室内でナースコール子機１が病床に設置されている被看護人からのナースコール呼出しがあることを、例えば、制御機記憶部９０に予め記憶されている不図示の被看護人テーブルを参照して氏名（氏名データ）「鈴木太郎」及び被看護人識別ＩＤ「０００１」とともに検出する。また、制御機ＣＰＵ９１は、ナースコール親機３及び携帯情報端末６、６、・・・のうちドアホン呼出しを報知させる機器について制御機記憶部９０の設定情報を参照する。ここでは、ナースコール親機３のみならず携帯情報端末６、６、・・・を携帯して施設内を移動中の医療・看護従事者のうち例えば、担当の被看護人が携帯している少なくとも１台の携帯情報端末６が有する端末ＩＤを読出したものとする。
【００６５】
ここで、制御機９の制御機ＣＰＵ９１は、ナースコール親機３にてナースコール呼出しを報知させる当該信号として、前述の子機ＩＤ、廊下灯ＩＤ及び呼出種別情報を付加した親機用ナースコール呼出報知信号を生成する。この親機用ナースコール呼出報知信号は、制御機ＣＰＵ９１から親機側制御機Ｉ／Ｆ９３、親機ラインＬ3、図２（Ｃ）に示すナースコール親機３の親機Ｉ／Ｆ３５を経由して親機ＣＰＵ３４に伝送される。
【００６６】
また、制御機９の制御機ＣＰＵ９１は、呼出元である被看護人の担当である医療・看護従事者が携帯している少なくとも１台の携帯情報端末６にてナースコール呼出しを報知させる当該信号として、前述の子機ＩＤ、廊下灯ＩＤ及び呼出種別情報と制御機記憶部９０から読出した端末ＩＤとを付加した端末用ナースコール呼出報知信号を生成する。この端末用ナースコール呼出報知信号は、制御機ＣＰＵ９１から交換機側制御機Ｉ／Ｆ９６、交換機ラインＬ6、（図１に示す）交換機８、基地局ラインＬ7、基地局７、図２（Ｂ）に示す携帯情報端末６、６、・・・の端末Ｉ／Ｆ６５を経由して端末ＣＰＵ６４にそれぞれ伝送される。
【００６７】
ナースコール親機３の親機ＣＰＵ３４は、制御機９から伝送されてきた親機用ナースコール呼出報知信号を受信すると、この親機用ナースコール呼出報知信号に付加されている子機ＩＤ、廊下灯ＩＤ及び呼出種別情報をもとに、２０１号室内でナースコール子機１が病床に設置されている、氏名（氏名データ）が「鈴木太郎」であって被看護人識別ＩＤ「０００１」を有する被看護人からのナースコール呼出しがある旨の呼出音や音声メッセージ等を、親機通話部３３を構成するスピーカから出力させるとともに、同様なナースコール呼出しがある旨の呼出表示として、図３（Ａ）、（Ｂ）に示すような呼出元である被看護人のリスト及びフロア病床レイアウトのうち少なくとも１つを、親機表示部３０を構成する主表示部３０ａに表示させることができる。
【００６８】
なお、親機表示部３０を構成する主表示部３０ａを用いた被看護人のリスト又はフロア病床レイアウトとしては、診療科目、担当医、救護区分等の被看護人に係る各種情報を併せて表示させることができる。また、同様なリスト及びフロア病床レイアウトは、例えば、親機操作部３１を構成する主操作部３１ａを用いて切換操作を行うことにより、主表示部３０ａへの表示内容を適宜に切換えることができる。さらに、前述のような診療科目、担当医、救護区分等の被看護人に係る各種情報については、主表示部３０ａとは別途に設けられる副表示部３０ｂに表示させて、その視認性を十分に確保することもできる。
【００６９】
ここで、ナースコール親機３の親機表示部３０を構成する主表示部３０ａは、副表示部３０ｂと比較して大きく、また縦長であるため、特に、被看護人のフロア病床レイアウトの表示を行うにあたっては、施設内における特定フロアの病床レイアウトを表示させた状態で呼出表示できることから、より多くの情報が一画面上に表示される。したがって、この呼出表示を確認するスタッフステーション等の施設内共用部に在室中の医療・看護従事者にとっては、十分な視認性が確保されることになる。
【００７０】
一方、携帯情報端末６、６、・・・の端末ＣＰＵ６４はそれぞれ、制御機９から伝送されてきた端末用ナースコール呼出報知信号を受信すると、この端末用ナースコール呼出報知信号に付加されている端末ＩＤと自端末が有する端末ＩＤとを照合し、当該ＩＤが一致した場合のみ、同様に付加されている子機ＩＤ、廊下灯ＩＤ及び呼出種別情報をもとに、２０１号室内でナースコール子機１が病床に設置されている、氏名（氏名データ）が「鈴木太郎」であって被看護人識別ＩＤ「０００１」を有する被看護人からのナースコール呼出しがある旨の呼出音や音声メッセージ等を、端末通話部６３を構成するスピーカから出力させるとともに、同様なナースコール呼出しがある旨の文字メッセージ等を端末表示部６０に表示させることができる。ここでは、呼出元である被看護人の担当の医療・看護従事者が携帯している特定の携帯情報端末６のみ当該ＩＤが一致し、前述のようなナースコール呼出しに係る所定の報知（呼出表示、呼出発報）が行われたものとする。
【００７１】
なお、特定の携帯情報端末６の端末表示部６０を用いた呼出表示としては、診療科目、担当医、救護区分等の被看護人に係る各種情報を併せて表示させることができる。
【００７２】
次に、前述のようなナースコール呼出しに係る所定の報知（呼出表示、呼出発報）を確認した医療・看護従事者のうち、最先に応答操作を行った医療・看護従事者として、スタッフステーション等の施設内共用部に在室中の医療・看護従事者が、図１、図２（Ｃ）に示すナースコール親機３の親機操作部３１を構成する主操作部３１ａを用いて応答操作を行うと、この操作を検出した親機ＣＰＵ３４は、親機通話部３３が有する通話機能を能動とするとともに親機ナースコール応答信号を生成する。この親機ナースコール応答信号は、前述の親機用ナースコール呼出報知信号と逆の信号伝送路を経由して図２（Ｄ）に示す制御機９の制御機ＣＰＵ９１に伝送される。
【００７３】
制御機９の制御機ＣＰＵ９１は、ナースコール親機３から伝送されてきた親機ナースコール応答信号を受信すると、呼出元であるナースコール子機１を構成するプレート子機１ｂの通話機能を能動とするための子機用通話制御信号を生成する。この子機用通話制御信号は、前述のナースコール呼出信号と逆の信号伝送路を経由して、２０１号室内で呼出元のナースコール子機１を構成するプレート子機１ｂに伝送される。
【００７４】
２０１号室内で呼出元のナースコール子機１を構成するプレート子機１ｂは、制御機９から伝送されてきた子機用通話制御信号を受信すると通話機能が能動となる。この制御により、ナースコール呼出しの呼出元である、氏名（氏名データ）が「鈴木太郎」であって被看護人識別ＩＤ「０００１」を有する被看護人が用いるプレート子機１ｂの通話機能と、子機ラインＬ1、（２０１号室の出入り口近傍に設置された）廊下灯２、廊下灯ラインＬ2、図２（Ｄ）に示す制御機９の廊下灯側制御機Ｉ／Ｆ９２、制御機ＣＰＵ９１、親機側制御機Ｉ／Ｆ９３、親機ラインＬ3、図２（Ｃ）に示すナースコール親機３の親機Ｉ／Ｆ３５を経由して親機通話部３３との間の信号通話路が形成され、形成された信号伝送路を経由して音声を送受信させることによって、被看護人とスタッフステーション等の施設内共用部に在室中の医療・看護従事者との間で通話が成立する。なお、前述のような信号伝送路を形成するにあたって、制御機９の廊下灯側制御機Ｉ／Ｆ９２及び親機側制御機Ｉ／Ｆ９３間の信号伝送路は、制御機ＣＰＵ９１を経由することなく各Ｉ／Ｆ９２、９３間を直接接続させた信号伝送路を形成することもできる。
【００７５】
また、ナースコール親機３からの親機ナースコール応答信号を受信した制御機９の制御機ＣＰＵ９１によれば、前述のような呼出先の医療・看護従事者が携帯している特定の携帯情報端末６への呼出報知停止制御信号を生成・送出することにより、この呼出報知停止制御信号が受信された端末ＣＰＵ６４は、端末表示部６０及び端末通話部６３を用いたナースコール呼出しに係る所定の報知（呼出表示、呼出発報）を停止させることができる。したがって、特定の携帯情報端末６での呼出報知動作を自動的に（待受状態へ）復旧できるため、利便性が高められる。
【００７６】
一方、前述のようなナースコール呼出しに係る所定の報知（呼出表示、呼出発報）を確認した医療・看護従事者のうち、最先に応答操作を行った医療・看護従事者として、被看護人の担当である施設内を移動中の医療・看護従事者が、図１、図２（Ｂ）に示す携帯情報端末６の端末操作部６１を用いて応答操作を行うと、この操作を検出した端末ＣＰＵ６４は、端末通話部６３が有する通話機能を能動とするとともに、自端末が有する端末ＩＤを付加した端末ナースコール応答信号を生成する。この端末ナースコール応答信号は、前述の端末用ナースコール呼出報知信号と逆の信号伝送路を経由して図２（Ｄ）に示す制御機９の制御機ＣＰＵ９１に伝送される。
【００７７】
制御機９の制御機ＣＰＵ９１は、特定の携帯情報端末６から伝送されてきた端末ナースコール応答信号を受信すると、前述のようなナースコール親機３からの親機ナースコール応答信号を受信した場合と同様、ナースコール呼出しの呼出元であるナースコール子機１を構成するプレート子機１ｂに子機用通話制御信号を送出する。
【００７８】
２０１号室内で呼出元のナースコール子機１を構成するプレート子機１ｂは、制御機９から伝送されてきた子機用通話制御信号を受信すると通話機能が能動となる。この制御により、ナースコール呼出しの呼出元である、氏名（氏名データ）が「鈴木太郎」であって被看護人識別ＩＤ「０００１」を有する被看護人が用いるプレート子機１ｂの通話機能と、子機ラインＬ1、（２０１号室の出入り口近傍に設置された）廊下灯２、廊下灯ラインＬ2、図２（Ｄ）に示す制御機９の廊下灯側制御機Ｉ／Ｆ９２、制御機ＣＰＵ９１、交換機側制御機Ｉ／Ｆ９６、交換機ラインＬ6、交換機８、基地局ラインＬ7、基地局７、図２（Ｂ）に示す特定の携帯情報端末６の端末Ｉ／Ｆ６５を経由して端末通話部６３との間の信号通話路が形成され、形成された信号伝送路を経由して音声を送受信させることによって、被看護人とこの被看護人の担当で施設内を巡回中の医療・看護従事者との間で通話が成立する。なお、前述のような信号伝送路を形成するにあたって、制御機９の廊下灯側制御機Ｉ／Ｆ９２及び交換機側制御機Ｉ／Ｆ９６間の信号伝送路は、制御機ＣＰＵ９１を経由することなく各Ｉ／Ｆ９２、９６間を直接接続させた信号伝送路を形成することもできる。
【００７９】
また、特定の携帯情報端末６からの端末ナースコール応答信号を受信した制御機９の制御機ＣＰＵ９１によれば、ナースコール親機３に対して呼出報知停止制御信号を送出することにより、この呼出報知停止制御信号が受信された親機ＣＰＵ３４は、親機表示部３０を構成する主表示部３０ａ及び親機通話部３３を用いたナースコール呼出しに係る所定の報知（呼出表示、呼出発報）を停止させることができる。したがって、ナースコール親機３での呼出報知動作を自動的に（待受状態へ）復旧できるため、利便性が高められる。
【００８０】
以上の説明から明らかなように、本発明の実施例における第１の動作によれば、ナースコール子機１、１、・・・、１、１、・・・、・・・を用いた被看護人からのナースコール呼出し報知することができるナースコール親機３において、このナースコール呼出しがあることを表示する親機表示部３０が有する呼出表示機能を、横長の副表示部３０ｂと比較して縦長で大画面の主表示部３０ａを用いて能動とすることができ、この主表示部３０ａは、被看護人のリスト及びフロア病床レイアウトのうち少なくとも１つを表示することができるように、より多くの情報を一画面上に表示させることができる。したがって、スタッフステーション等の施設内共用部に在室中の医療・看護従事者にとっては、ナースコール呼出しがあることを示す呼出表示の視認性が十分に確保され、被看護人への迅速な対応が可能となる。
【００８１】
次に、第２の動作として、病棟出入り口やフロア出入り口等の施設内入退場口に居る来訪者が、医療・看護従事者を呼出すために、図１、図２（Ａ）に示すドアホン４のドアホン操作部４０を用いて呼出操作を行うと、この操作を検出したドアホンＣＰＵ４３はドアホン呼出信号を生成する。また、ドアホンＣＰＵ４３にて生成されたドアホン呼出信号は、ドアホンＩ／Ｆ４４、ドアホンラインＬ4、図２（Ｄ）に示す制御機９のドアホン側制御機Ｉ／Ｆ９４を経由して制御機ＣＰＵ９１に伝送される。
【００８２】
制御機９の制御機ＣＰＵ９１は、ドアホン４から伝送されてきたドアホン呼出信号を受信すると、来訪者から医療・看護従事者へのドアホン呼出しがあることを検出する。この制御機ＣＰＵ９１は、ナースコール親機３及び携帯情報端末６、６、・・・のうちドアホン呼出しを報知させる機器について制御機記憶部９０の設定情報を参照する。ここでは、ナースコール親機３のみならず携帯情報端末６、６、・・・を携帯して施設内を移動中の医療・看護従事者のうち、予め設定されている例えば、被看護人への看護処置を行っていない医療・看護従事者が携帯している少なくとも１台の携帯情報端末６が有する端末ＩＤを読出したものとする。
【００８３】
ここで、制御機９の制御機ＣＰＵ９１は、ナースコール親機３にてドアホン呼出しを報知させる親機用ドアホン呼出報知信号を生成する。この親機用ドアホン呼出報知信号は、前述の親機用ナースコール呼出信号と同様な信号伝送路を経由して図２（Ｃ）に示すナースコール親機３の親機ＣＰＵ３４に伝送される。
【００８４】
また、制御機９の制御機ＣＰＵ９１は、被看護人への看護処置を行っていない医療・看護従事者が携帯している少なくとも１台の携帯情報端末６にてドアホン呼出しを報知させる当該信号として、制御機記憶部９０から読出した端末ＩＤを付加した端末用ドアホン呼出報知信号を生成する。この端末用ドアホン呼出報知信号は、前述の端末用ナースコール呼出報知信号と同様な信号伝送路を経由して図２（Ｂ）に示す携帯情報端末６、６、・・・の端末ＣＰＵ６４にそれぞれ伝送される。
【００８５】
さらに、前述のように来訪者から医療・看護従事者へのドアホン呼出しがあることを検出した制御機９の制御機ＣＰＵ９１は、ドアホン４のドアホン撮像部４１が有する映像撮像機能を能動とするための撮像制御信号を生成する。この撮像制御信号は、前述のドアホン呼出信号と逆の信号伝送路を経由してドアホン４のドアホンＣＰＵ４３に伝送される。
【００８６】
ドアホン４のドアホンＣＰＵ４３は、制御機９から伝送されてきた撮像制御信号を受信すると、ドアホン撮像部４１にて来訪者の映像の撮像を開始させる。このドアホン撮像部４にて撮像された映像であって電気信号に信号処理された映像信号は、ドアホンＩ／Ｆ４４、ドアホンラインＬ4、制御機９のドアホン側制御機Ｉ／Ｆ９４を経由して制御機ＣＰＵ９１に伝送される。
【００８７】
制御機９の制御機ＣＰＵ９１は、ドアホン４から伝送されてきた映像信号を、前述のドアホン用呼出報知信号と同様な信号伝送路を経由してナースコール親機３の親機ＣＰＵ３４に送出する。
【００８８】
ナースコール親機３の親機ＣＰＵ３４は、制御機９から伝送されてきた親機用ドアホン呼出報知信号及び映像信号のうち親機用ドアホン呼出報知信号を受信すると、来訪者から医療・看護従事者へのドアホン呼出しがあることを検出し、その旨の呼出音や音声メッセージ等を、親機通話部３３を構成するスピーカから出力させるとともに、同様なドアホン呼出しがある旨の呼出表示として、図３（Ｃ）に示すような文字メッセージ等を、親機表示部３０を構成する副表示部３０ｂに表示させることができる。また、親機ＣＰＵ３４は、同様に受信した映像信号をもとに、ドアホン４のドアホン撮像部４１で撮像された来訪者の映像を副表示部３０ｂに出画させることができる。
【００８９】
ここで、ナースコール親機３の親機表示部３０を構成する副表示部３０ｂは、主表示部３０ａと比較して小さいものの、従来のテレビドアホン・テレビインターホン等と同様、特に、来訪者の映像を確認し易い横長であるため、来訪者からのドアホン呼出しがあることと、この来訪者を判別するには十分な大きさであって、これを確認する医療・看護従事者にとっては、十分な視認性が確保されることになる。
【００９０】
一方、携帯情報端末６、６、・・・の端末ＣＰＵ６４はそれぞれ、制御機９から伝送されてきた端末用ドアホン呼出報知信号を受信すると、この端末用ドアホン呼出報知信号に付加されている端末ＩＤと自端末が有する端末ＩＤとを照合し、当該ＩＤが一致した場合にのみ来訪者から医療・看護従事者へのドアホン呼出しがある旨の呼出音や音声メッセージ等を、端末通話部６３を構成するスピーカから出力させるとともに、同様なドアホン呼出しがある旨の文字メッセージ等を端末表示部６０に表示させることができる。ここでは、被看護人への看護処置を行っていない医療・看護従事者が携帯している特定の携帯情報端末６のみ当該ＩＤが一致し、前述のようなドアホン呼出しに係る所定の報知（呼出表示、呼出発報）が行われたものとする。したがって、例えば、担当の被看護人への看護業務に集中している医療・看護従事者にとっては、自身が携帯している携帯情報端末６への呼出報知が回避されるため、煩わしを感じず、その看護業務に支障を与えることなく迅速な対応を継続することができる。
【００９１】
なお、前述のように来訪者から医療・看護従事者へのドアホン呼出しがあることを検出した制御機９の制御機ＣＰＵ９２によれば、端末用ドアホン呼出報知信号のみならずドアホン４から伝送されてきた映像信号を、携帯情報端末６、６、・・・の端末ＣＰＵ６４に送出することもできる。ここで、端末用ドアホン呼出報知信号に付加されている端末ＩＤと自端末が有する端末ＩＤとが一致した特定の携帯情報端末６の端末ＣＰＵ６４によれば、ドアホン４から制御機９を経由して伝送されてきた映像信号を受信すると、ドアホン撮像部４１で撮像された来訪者の映像を端末表示部６０に表示させることができる。
【００９２】
次に、前述のようなドアホン呼出しに係る所定の報知（呼出表示、呼出発報）を確認した医療・看護従事者のうち、最先に応答操作を行った医療・看護従事者として、スタッフステーション等の施設内共用部に在室中の医療・看護従事者が、図１、図２（Ｃ）に示すナースコール親機３の親機操作部３１を構成する副操作部３１ｂを用いて応答操作を行うと、この操作を検出した親機ＣＰＵ３４は、親機通話部３３が有する通話機能を能動とするとともに親機ドアホン応答信号を生成する。この親機ドアホン応答信号は、前述の親機ナースコール応答信号と同様な信号伝送路を経由して図２（Ｄ）に示す制御機９の制御機ＣＰＵ９１に伝送される。
【００９３】
制御機９の制御機ＣＰＵ９１は、ナースコール親機３から伝送されてきた親機ドアホン応答信号を受信すると、呼出元であるドアホン４の通話機能を能動とするためのドアホン用通話制御信号を生成する。このドアホン用通話制御信号は、前述のドアホン呼出信号と逆の信号伝送路を経由して図２（Ａ）に示すドアホン４のドアホンＣＰＵ４３に伝送される。
【００９４】
ドアホン４のドアホンＣＰＵ４３は、制御機９から伝送されてきたドアホン用通話制御信号を受信するとドアホン通話部４２の通話機能を能動とする。この制御により、ドアホン呼出しの呼出元である来訪者が用いるドアホン通話部４２と、ドアホンＩ／Ｆ４４、ドアホンラインＬ4、図２（Ｄ）に示す制御機９のドアホン側制御機Ｉ／Ｆ９４、制御機ＣＰＵ９１、親機側制御機Ｉ／Ｆ９３、親機ラインＬ3、図２（Ｃ）に示すナースコール親機３の親機Ｉ／Ｆ３５を経由して親機通話部３３との間の信号通話路が形成され、形成された信号伝送路を経由して音声を送受信させることによって、来訪者とスタッフステーション等の施設内共用部に在室中の医療・看護従事者との間で通話が成立する。なお、前述のような信号伝送路を形成するにあたって、制御機９の親機側制御機Ｉ／Ｆ９３及びドアホン側制御機Ｉ／Ｆ９４間の信号伝送路は、制御機ＣＰＵ９１を経由することなく各Ｉ／Ｆ９３、９４間を直接接続させた信号伝送路を形成することもできる。
【００９５】
また、ナースコール親機３からの親機ドアホン応答信号を受信した制御機９の制御機ＣＰＵ９１によれば、前述のような呼出先の医療・看護従事者が携帯している特定の携帯情報端末６への呼出報知停止制御信号を生成・送出することにより、この呼出報知停止制御信号が受信された端末ＣＰＵ６４は、端末表示部６０及び端末通話部６３を用いたドアホン呼出しに係る所定の報知（呼出表示、呼出発報）を停止させることができ、利便性が高められる。
【００９６】
この後、スタッフステーション等の施設内共用部に在室中の医療・看護従事者によれば、来訪者を施設内に招き入れるために、図１、図２（Ｃ）に示すナースコール親機３の親機解錠部３２を用いて解錠操作を行うことができる。この操作を検出した親機ＣＰＵ３４は、電気錠５を解錠させるための親機電気錠解錠信号を生成する。この親機電気錠解錠信号は、前述の親機ドアホン応答信号等と同様な信号伝送路を経由して図２（Ｄ）に示す制御機９の制御機ＣＰＵ９１に伝送される。
【００９７】
制御機９の制御機ＣＰＵ９１は、ナースコール親機３から伝送されてきた親機電気錠解錠信号を受信すると、電気錠５を解錠させるための電気錠制御信号を生成する。この電気錠制御信号は、制御機ＣＰＵ９１から電気錠側制御機Ｉ／Ｆ９５、電気錠ラインＬ5を経由して図１に示す電気錠５に伝送され、当該電気錠を解錠させる。したがって、来訪者によれば、電気錠５が解錠された入退出用ドアを経由して施設内に入り、例えば、被看護人の部屋に向かうことができる。
【００９８】
一方、前述のようなドアホン呼出しに係る所定の報知（呼出表示、呼出発報）を確認した医療・看護従事者のうち、最先に応答操作を行った医療・看護従事者として、施設内を移動中の医療・看護従事者が、図１、図２（Ｂ）に示す携帯情報端末６の端末操作部６１を用いて応答操作を行うと、この操作を検出した端末ＣＰＵ６４は、端末通話部６３が有する通話機能を能動とするとともに、自端末が有する端末ＩＤを付加した端末ドアホン応答信号を生成する。この端末ドアホン応答信号は、前述の端末用ドアホン呼出報知信号と逆の信号伝送路を経由して図２（Ｂ）に示す制御機９の制御機ＣＰＵ９１に伝送される。
【００９９】
制御機９の制御機ＣＰＵ９１は、特定の携帯情報端末６から伝送されてきた端末ドアホン応答信号を受信すると、前述のようなナースコール親機３からの親機ドアホン応答信号を受信した場合と同様、ドアホン呼出しの呼出元であるドアホン４のドアホンＣＰＵ４３にドアホン用通話制御信号を送出する。
【０１００】
ドアホン４のドアホンＣＰＵ４３は、制御機９から伝送されてきたドアホン用通話制御信号を受信するとドアホン通話部４２の通話機能を能動とする。この制御により、ドアホン呼出しの呼出元である来訪者が用いるドアホン通話部４２と、ドアホンＩ／Ｆ４４、ドアホンラインＬ4、図２（Ｄ）に示す制御機９のドアホン側制御機Ｉ／Ｆ９４、制御機ＣＰＵ９１、交換機側制御機Ｉ／Ｆ９６、交換機ラインＬ6、交換機８、基地局ラインＬ7、基地局７、図２（Ｂ）に示す特定の携帯情報端末６の端末Ｉ／Ｆ６５を経由して端末通話部６３との間の信号通話路が形成され、形成された信号伝送路を経由して音声を送受信させることによって、来訪者と特定の携帯情報端末６を携帯して施設内を移動中の医療・看護従事者との間で通話が成立する。なお、前述のような信号伝送路を形成するにあたって、制御機９のドアホン側制御機Ｉ／Ｆ９４及び交換機側制御機Ｉ／Ｆ９６間の信号伝送路は、制御機ＣＰＵ９１を経由することなく各Ｉ／Ｆ９４、９６間を直接接続させた信号伝送路を形成することもできる。
【０１０１】
また、特定の携帯情報端末６からの端末ドアホン応答信号を受信した制御機９の制御機ＣＰＵ９１によれば、ナースコール親機３への映像出画停止制御信号を生成・送出することにより、この映像出画停止制御信号が受信された親機ＣＰＵ３４は、親機表示部３０を構成する副表示部３０ｂを用いた映像出画動作を停止させることができる。したがって、スタッフステーション等の施設内共用部に在室中の医療・看護従事者によれば、副表示部３０ｂを用いた映像出画動作が自動的に非表示状態に復旧でき、ナースコール親機３での呼出報知動作を自動的に（待受状態へ）復旧されるため、利便性が高められる。
【０１０２】
この後、ドアホン呼出しに応答した施設内を移動中の医療・看護従事者によれば、来訪者を施設内に招き入れるために、図１、図２（Ｂ）に示す携帯情報端末６の端末解錠部６２を用いて解錠操作を行うことができる。この操作を検出した端末ＣＰＵ６４は、自端末が有する端末ＩＤが付加された、電気錠５を解錠させるための端末電気錠解錠信号を生成する。この端末電気錠解錠信号は、前述の端末ドアホン応答信号等と同様な信号伝送路を経由して図２（Ｄ）に示す制御機９の制御機ＣＰＵ９１に伝送される。
【０１０３】
制御機９の制御機ＣＰＵ９１は、携帯情報端末６から伝送されてきた端末電気錠解錠信号を受信すると、電気錠５を解錠させるための電気錠制御信号を生成する。この電気錠制御信号は、前述の親機電気錠解錠信号の受信時と同様に制御機ＣＰＵ９１から図１に示す電気錠５に伝送され、当該電気錠を解錠させる。したがって、来訪者によれば、電気錠５が解錠された入退出用ドアを経由して施設内に入り、例えば、被看護人の部屋に向かうことができる。
【０１０４】
以上の説明から明らかなように、本発明の実施例における第２の動作によれば、ドアホン４を用いた来訪者からのドアホン呼出しの報知とドアホン４のドアホン撮像部４１で撮像された来訪者の映像を出画することができるナースコール親機３において、ドアホン呼出しがあることを表示するとともにドアホン４のドアホン撮像部４１で撮像された映像を出画するための親機表示部３０が有する呼出表示・映像出画機能を、主表示部３０ａよりも小さい横長の副表示部３０ｂを用いて能動とすることができ、この副表示部３０ｂは、従来のテレビドアホン・テレビインターホン等と同様、ドアホン呼出しがあることと来訪者の映像を確認するのに十分な大きさであるため、スタッフステーション等の施設内共用部に在室中の医療・看護従事者にとっては十分な視認性が確保されるばかりでなく、例えば、ナースコール呼出しを行った被看護人への看護業務に支障がない状態でドアホン呼出しを行った来訪者に迅速に対応することができる。
【０１０５】
また、ドアホン４を用いた来訪者からのドアホン呼出しについて、例えば、担当の被看護人への看護業務に集中している医療・看護従事者により携帯される携帯情報端末６、６、・・・への呼出報知が回避されるため、その看護業務に支障を与えることなく迅速な対応を継続させることができる。
【０１０６】
また、ドアホン４を用いた来訪者からのドアホン呼出しについて、特定の携帯情報端末６で応答することで通話を成立させることができるばかりでなく、同様な呼出しが報知されるナースコール親機３での映像出画動作を自動的に非表示状態へ復旧できるため、スタッフステーション等の施設内共用部に在室中の医療・看護従事者によれば、この状態で被看護人によるナースコール呼出しがあった場合でも、ドアホン呼出しよりも重要度が高い当該ナースコール呼出しに係る呼出報知（呼出表示）を、煩わしさを感じずに確認することができ、利便性が高められる。
【０１０７】
さらに、ドアホン４を用いた来訪者からのドアホン呼出しを確認した医療・看護従事者によれば、電気錠５を解錠させることができ、来訪者によれば、電気錠５が解錠された入退出用ドアを経由して施設内に入り、例えば、被看護人の部屋に向かうことができる。
【０１０８】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１０９】
具体的に本発明の実施例においては、電気錠５を解錠する解錠部を親機解錠部３２、端末解錠部６２のように、ナースコール親機３及び携帯情報端末６、６、・・・にそれぞれ備えた構成を適用したが、この態様に限定されるものではない。例えば、ナースコール親機３及び携帯情報端末６、６、・・・のうち何れか１つに備えた構成であってもよい。
【０１１０】
また、本発明の実施例においては、ナースコール親機３及び携帯情報端末６、６、・・・のうち、ドアホン４を用いた来訪者からのドアホン呼出しを報知する機器の設定情報が記憶される記憶部を、制御機記憶部９０として制御機９に備えた構成を適用したが、この態様に限定されるものではない。例えば、被看護人の疾患に係る担当科データ、検査や手術に係るオーダデータ、電子カルテデータ等の被看護人関連情報が記憶されるオーダリングサーバ等のサーバ１０に備え、このサーバ１０を制御機９により制御させることもできる。この態様によれば、設定情報を例えば、被看護人関連情報とともに一元的に管理することができる。
【０１１１】
さらに、本発明の実施例においては、子機ラインＬ1を経由してナースコール子機１、１、・・・、１、１、・・・、・・・がそれぞれ接続される廊下灯２、２、・・・と、ナースコール親機３、ドアホン４、電気錠５及び交換機８とを、個別のライン（廊下灯ライン、ドアホンライン、電気錠ライン、交換機ライン）Ｌ2、Ｌ3、Ｌ4、Ｌ5、Ｌ6をそれぞれ経由して制御機９に接続させた構成を適用したが、この態様に限定されるものではない。例えば、子機ラインＬ1を経由してナースコール子機１、１、・・・、１、１、・・・、・・・がそれぞれ接続される廊下灯２、２、・・・、ナースコール親機３、ドアホン４、電気錠５、交換機８及び制御機９をそれぞれ、共通バスであるＬＡＮ配線に所定の信号分岐機能、例えば、ハブを経由して接続させた構成を適用することもできる。なお、ＬＡＮ配線を適用するにあたっては、交換機８を不要にすることもできる。この態様によれば、ＬＡＮ配線に例えば、ハブを経由して基地局７が接続されることになる。
【符号の説明】
【０１１２】
１、１、・・・、１、１、・・・、・・・……ナースコール子機
２、２、・・・……廊下灯
３……ナースコール親機
３０……親機表示部
３０ａ……主表示部
３０ｂ……副表示部
３１……親機操作部
３２……親機解錠部（解錠部）
３３……親機通話部
４……ドアホン
４０……ドアホン操作部
４１……ドアホン撮像部
４２……ドアホン通話部
５……電気錠
６、６、・・・……携帯情報端末
６０……端末表示部
６１……端末操作部
６２……端末解錠部（解錠部）
６３……端末通話部
９……制御機
９０……制御機記憶部（記憶部）
９１……制御機ＣＰＵ
１０……サーバ
９０……記憶部
【図１】
2014086987.tif 000003
【図２】
2014086987.tif 000004
【図３】
2014086987.tif 000005